【手続補正書】
【提出日】平成18年5月11日(2006.5.11)
【手続補正１】
【補正対象書類名】明細書
【補正対象項目名】特許請求の範囲
【補正方法】変更
【補正の内容】
【特許請求の範囲】
【請求項１】  既知の疾病または医学的状態を有する患者に対する治療処方計画の選択をガイドするための方法であって、
（ａ）前記疾病または医学的状態に対する複数の異なった治療処方計画を含む第１の知識ベースと、前記疾病または医学的状態に対する治療処方計画を評価及び選択するための複数のエキスパート・ルールを含む第２の知識ベースと、前記異なった治療処方計画の異なった構成によって患者を治療するのに有用なアドバイザリ情報を含む第３の知識ベースとを備えた計算装置に患者情報を与える段階と、
（ｂ）前記計算装置において前記患者に対する有効な治療処方計画のランク付けされたリストを生成する段階と、
（ｃ）前記計算装置において前記患者情報と前記エキスパート・ルールに基づいて前記ランク付けされたリストにおける一つ以上の治療処方計画に対するアドバイザリ情報を生成する段階とを有することを特徴とする方法。
【請求項２】  （ｄ）前記第１の知識ベースには含まれていない前記疾病または医学的状態に対するユーザ定義された治療処方計画を入力する段階と、
（ｅ）前記計算装置において前記ユーザ定義された組合せ治療処方計画（combination therapeutic treatment regimens）に対するアドバイザリ情報を生成する段階と
をさらに有することを特徴とする請求項１に記載の方法。
【請求項３】  （ｆ）前記第１の知識ベースに含まれるが前記ランク付けされたリストからは推奨されない前記疾病または医学的状態に対する非推奨治療処方計画を入力する段階と、
（ｇ）前記計算装置において前記非推奨治療処方計画に対するアドバイザリ情報であって、その非推奨の理由を少なくとも一つは含むアドバイザリ情報を生成する段階と
をさらに有することを特徴とする請求項１に記載の方法。
【請求項４】  前記患者情報は、性別、年齢、体重、ＣＤ４情報、ウィルス負荷情報、ＨＩＶ遺伝子型及び表現型情報、血色素情報、神経疾患情報、好中球情報、膵臓炎、肝臓機能、腎臓機能、薬物アレルギー及び不耐性情報と、
を含むことを特徴とする請求項１に記載の方法。
【請求項５】  前記患者情報は、以前の治療処方計画情報を含むことを特徴とする請求項１に記載の方法。
【請求項６】  前記患者情報は、前記計算装置に記憶された以前の患者情報を含むことを特徴とする請求項１に記載の方法。
【請求項７】  前記アドバイザリ情報は、
配合禁忌薬（contraindicated drug）を対応する治療処方計画が開始される前に患者から取り去るための警告と、
対応する治療処方計画を実行するための臨床的に有用な情報と、
を含むことを特徴とする請求項１に記載の方法。
【請求項８】  前記計算装置は患者の治療処方計画履歴を含む第４の知識ベースを含むと共に、前記アドバイザリ情報は該第４の知識ベースから抽出された以前の治療処方計画情報を含むことを特徴とする請求項１に記載の方法。
【請求項９】  前記既知の疾病または医学的状態はＨＩＶ−１感染であり、前記治療処方計画は抗ウィルス薬を含み、かつ該治療処方計画は配合禁忌されたまたは逆方向に相互作用する可能性のある非抗ウィルス薬を含むことを特徴とする請求項７に記載の方法。
【請求項１０】  前記治療処方計画はプロテアーゼ抑制薬（protease inhibitor）を含み、そして前記配合禁忌薬はテルフェナジン（terfenadine）であることを特徴とする請求項７に記載の方法。
【請求項１１】  前記治療処方計画はインジナビル（indinavir）を含み、そして前記配合禁忌薬はシサプリド（cisapride）であることを特徴とする請求項７に記載の方法。
【請求項１２】  前記既知の疾病または医学的状態は、複数の予防または治療上の処方計画が前記疾病の治療において単独または組合せで使用されるのが有効なものであることを特徴とする請求項１に記載の方法。
【請求項１３】  前記既知の疾病または医学的状態は心臓血管疾患であることを特徴とする請求項１に記載の方法。
【請求項１４】  前記既知の疾病または医学的状態は肺疾患であることを特徴とする請求項１に記載の方法。
【請求項１５】  前記既知の疾病または医学的状態は神経疾患であることを特徴とする請求項１に記載の方法。
【請求項１６】  前記既知の疾病または医学的状態はガンであることを特徴とする請求項１に記載の方法。
【請求項１７】  前記既知の疾病または医学的状態は尿路感染であることを特徴とする請求項１に記載の方法。
【請求項１８】  前記既知の疾病または医学的状態は肝炎感染であることを特徴とする請求項１に記載の方法。
【請求項１９】  前記既知の疾病または医学的状態はＨＩＶ−１感染であることを特徴とする請求項１に記載の方法。
【請求項２０】  前記第１の知識ベースは複数の異なった組合せ治療処方計画を含むことを特徴とする請求項１に記載の方法。
【請求項２１】  もし必要ならば前記患者情報に応じて薬の投薬量情報が推奨及び調整されることを特徴とする請求項１に記載の方法。
【請求項２２】  （ｄ）前記計算装置を介して医薬リファレンスソースから一つ以上の治療処方計画のための情報にアクセスする段階をさらに有することを特徴とする請求項１に記載の方法。
【請求項２３】  既知の疾病または医学的状態を有する患者に対する治療処方計画の選択をガイドするためのシステムであって、
（ａ）前記疾病または医学的状態に対する複数の異なった治療処方計画を含む第１の知識ベースと、前記疾病または医学的状態に対する治療処方計画を選択するための複数のエキスパート・ルールを含む第２の知識ベースと、前記異なった治療処方計画の異なった構成によって患者を治療するのに有用なアドバイザリ情報を含む第３の知識ベースとを備えた計算装置と、
（ｂ）前記計算装置に患者情報を与えるための手段と、
（ｃ）前記計算装置において前記患者に対する治療処方計画のランク付けされたリストを生成するための手段と、
（ｄ）前記計算装置において前記患者情報と前記エキスパート・ルールに基づいて前記ランク付けされたリストにおける一つ以上の治療処方計画に対するアドバイザリ情報を生成するための手段とを備えることを特徴とするシステム。
【請求項２４】  （ｅ）前記第１の知識ベースを通して生成または表示されない前記疾病または医学的状態に対するユーザ定義された治療処方計画を入力するための手段と、
（ｆ）前記計算装置において前記ユーザ定義された組合せ治療処方計画に対するアドバイザリ情報を生成するための手段と
をさらに備えることを特徴とする請求項２３に記載のシステム。
【請求項２５】  （ｆ）前記第１の知識ベースに含まれるが前記ランク付けされたリストからは推奨されない前記疾病または医学的状態に対する非推奨治療処方計画を入力するための手段と、
（ｇ）前記計算装置において前記非推奨治療処方計画に対するアドバイザリ情報であって、その非推奨の理由を少なくとも一つは含むアドバイザリ情報を生成するための手段と
をさらに備えることを特徴とする請求項２３に記載のシステム。
【請求項２６】  前記患者情報は、性別、年齢、体重、ＣＤ４情報、ウィルス負荷情報、ＨＩＶ遺伝子型及び表現型情報、血色素情報、神経疾患情報、好中球情報、膵臓炎、肝臓機能、腎臓機能、薬物アレルギー及び不耐性情報と、
を含むことを特徴とする請求項２３に記載のシステム。
【請求項２７】  前記患者情報は、以前の治療処方計画情報を含むことを特徴とする請求項２３に記載のシステム。
【請求項２８】前記患者情報は、前記計算装置に記憶された以前の患者情報を含むことを特徴とする請求項２３に記載のシステム。
【請求項２９】  前記アドバイザリ情報は、
配合禁忌薬を対応する治療処方計画が開始される前に患者から取り去るための警告と、
対応する治療処方計画を実行するための臨床的に有用な情報と、
を含むことを特徴とする請求項２３に記載のシステム。
【請求項３０】  前記計算装置は患者の治療処方計画履歴を含む第４の知識ベースを含むと共に、前記アドバイザリ情報は該第４の知識ベースから抽出された以前の治療処方計画情報を含むことを特徴とする請求項２３に記載のシステム。
【請求項３１】  前記既知の疾病または医学的状態はＨＩＶ−１感染であり、前記治療処方計画は抗ウィルス薬を含み、かつ該治療処方計画は配合禁忌されたまたは逆方向に相互作用する可能性のある非抗ウィルス薬を含むことを特徴とする請求項２９に記載のシステム。
【請求項３２】  前記治療処方計画はプロテアーゼ抑制薬（protease inhibitor）を含み、そして前記配合禁忌薬はテルフェナジン（terfenadine）であることを特徴とする請求項２９に記載のシステム。
【請求項３３】  前記治療処方計画はインジナビル（indinavir）を含み、そして前記配合禁忌薬はシサプリド（cisapride）であることを特徴とする請求項２９に記載のシステム。
【請求項３４】  前記既知の疾病または医学的状態は、複数の予防または治療上の処方計画が前記疾病の治療において単独または組合せで使用されるのが有効なものであることを特徴とする請求項２３に記載のシステム。
【請求項３５】  前記既知の疾病または医学的状態は心臓血管疾患であることを特徴とする請求項２３に記載のシステム。
【請求項３６】  前記既知の疾病または医学的状態は肺疾患であることを特徴とする請求項２３に記載のシステム。
【請求項３７】  前記既知の疾病または医学的状態は神経疾患であることを特徴とする請求項２３に記載のシステム。
【請求項３８】  前記既知の疾病または医学的状態はガンであることを特徴とする請求項２３に記載のシステム。
【請求項３９】  前記既知の疾病または医学的状態は尿路感染であることを特徴とする請求項２３に記載のシステム。
【請求項４０】  前記既知の疾病または医学的状態は肝炎感染であることを特徴とする請求項２３に記載のシステム。
【請求項４１】  前記既知の疾病または医学的状態はＨＩＶ−１感染であることを特徴とする請求項２３に記載のシステム。
【請求項４２】  前記第１の知識ベースは複数の異なった組合せ治療処方計画を含むことを特徴とする請求項２３に記載のシステム。
【請求項４３】  もし必要ならば前記患者情報に応じて薬の投薬量情報が推奨及び調整されることを特徴とする請求項２３に記載のシステム。
【請求項４４】  （ｅ）前記計算装置を介して医薬リファレンスソースから一つ以上の治療処方計画のための情報にアクセスするための手段をさらに有することを特徴とする請求項２３に記載のシステム。
【請求項４５】  既知の疾病または医学的状態を有する患者に対する治療処方計画の選択をガイドするためのコンピュータ・プログラム製品であって、コンピュータ使用可能な記憶媒体（computer usable storage medium）を備え、該記憶媒体にはコンピュータ読み取り可能なプログラム・コード手段が具体化されており、そして該コンピュータ読み取り可能なプログラム・コード手段は、
（ａ）前記疾病または医学的状態に対する複数の異なった治療処方計画を含む第１の知識ベースと、
前記疾病または医学的状態に対する治療処方計画を選択するための複数のエキスパート・ルールを含む第２の知識ベースと、
前記異なった治療処方計画の異なった構成によって患者を治療するのに有用なアドバイザリ情報を含む第３の知識ベースと
を備えるコンピュータ読み取り可能なプログラム・コード手段と、
（ｂ）患者情報を与えるためのコンピュータ読み取り可能なプログラム・コード手段と、
（ｃ）前記患者に対する有効な治療処方計画のランク付けされたリストを生成するためのコンピュータ読み取り可能なプログラム・コード手段と、
（ｄ）前記患者情報と前記エキスパート・ルールに基づいて前記ランク付けされたリストにおける一つ以上の治療処方計画に対するアドバイザリ情報を生成するためのコンピュータ読み取り可能なプログラム・コード手段と
を備えることを特徴とするコンピュータ・プログラム製品。
【請求項４６】  （ｅ）前記第１の知識ベースを通して生成または表示されない前記疾病または医学的状態に対するユーザ定義された（user-defined）治療処方計画を入力するためのコンピュータ読み取り可能なプログラム・コード手段と、
（ｆ）前記ユーザ定義された組合せ治療処方計画に対するアドバイザリ情報を生成するためのコンピュータ読み取り可能なプログラム・コード手段と
をさらに備えることを特徴とする請求項４５に記載のコンピュータ・プログラム製品。
【請求項４７】  （ｇ）前記第１の知識ベースに含まれるが前記ランク付けされたリストからは推奨されない前記疾病または医学的状態に対する非推奨治療処方計画を入力するためのコンピュータ読み取り可能なプログラム・コード手段と、
（ｈ）前記非推奨治療処方計画に対するアドバイザリ情報であって、その非推奨の理由を少なくとも一つは含むアドバイザリ情報を生成するためのコンピュータ読み取り可能なプログラム・コード手段と
をさらに備えることを特徴とする請求項４６に記載のコンピュータ・プログラム製品。
【請求項４８】  前記患者情報は、性別、年齢、体重、ＣＤ４情報、ウィルス負荷情報、ＨＩＶ遺伝子型及び表現型情報、血色素情報、神経疾患情報、好中球情報、膵臓炎、肝臓機能、腎臓機能、薬物アレルギー及び不耐性情報と、他の状態に対する薬物療法に関する情報を含むことを特徴とする請求項４５に記載のコンピュータ・プログラム製品。
【請求項４９】  前記患者情報は、以前の治療処方計画情報を含むことを特徴とする請求項４５に記載のコンピュータ・プログラム製品。
【請求項５０】  前記患者情報は、以前の患者情報を含むことを特徴とする請求項４５に記載のコンピュータ・プログラム製品。
【請求項５１】  前記アドバイザリ情報は、
配合禁忌薬を対応する治療処方計画が開始される前に患者から取り去るための警告と、
対応する治療処方計画を実行するための臨床的に有用な情報と、
を含むことを特徴とする請求項４５に記載のコンピュータ・プログラム製品。
【請求項５２】  前記コンピュータ読み取り可能なプログラム・コード手段は患者の治療処方計画履歴を含む第４の知識ベースを生成するためのコンピュータ読み取り可能なプログラム・コード手段含むと共に、前記アドバイザリ情報は該第４の知識ベースから抽出された以前の治療処方計画情報を含むことを特徴とする請求項４５に記載のコンピュータ・プログラム製品。
【請求項５３】  前記既知の疾病または医学的状態はＨＩＶ−１感染であり、前記治療処方計画は抗ウィルス薬を含み、かつ該治療処方計画は配合禁忌されたまたは逆方向に相互作用する可能性のある非抗ウィルス薬を含むことを特徴とする請求項５１に記載のコンピュータ・プログラム製品。
【請求項５４】  前記治療処方計画はプロテアーゼ抑制薬（protease inhibitor）を含み、そして前記配合禁忌薬はテルフェナジン（terfenadine）であることを特徴とする請求項５１に記載のコンピュータ・プログラム製品。
【請求項５５】  前記治療処方計画はインジナビル（indinavir）を含み、そして前記配合禁忌薬はシサプリド（cisapride）であることを特徴とする請求項５１に記載のコンピュータ・プログラム製品。
【請求項５６】  前記既知の疾病または医学的状態は、複数の予防または治療上の処方計画が前記疾病の治療において単独または組合せで使用されるのが有効なものであることを特徴とする請求項４５に記載のコンピュータ・プログラム製品。
【請求項５７】  前記既知の疾病または医学的状態は心臓血管疾患であることを特徴とする請求項４５に記載のコンピュータ・プログラム製品。
【請求項５８】  前記既知の疾病または医学的状態は肺疾患であることを特徴とする請求項４５に記載のコンピュータ・プログラム製品。
【請求項５９】  前記既知の疾病または医学的状態は神経疾患であることを特徴とする請求項４５に記載のコンピュータ・プログラム製品。
【請求項６０】  前記既知の疾病または医学的状態はガンであることを特徴とする請求項４５に記載のコンピュータ・プログラム製品。
【請求項６１】  前記既知の疾病または医学的状態は尿路感染であることを特徴とする請求項４５に記載のコンピュータ・プログラム製品。
【請求項６２】  前記既知の疾病または医学的状態は肝炎感染であることを特徴とする請求項４５に記載のコンピュータ・プログラム製品。
【請求項６３】  前記既知の疾病または医学的状態はＨＩＶ−１感染であることを特徴とする請求項４５に記載のコンピュータ・プログラム製品。
【請求項６４】  前記第１の知識ベースは複数の異なった組合せ治療処方計画を含むことを特徴とする請求項４５に記載のコンピュータ・プログラム製品。
【請求項６５】  もし必要ならば前記患者情報に応じて薬の投薬量情報が推奨及び調整されることを特徴とする請求項４５に記載のコンピュータ・プログラム製品。
【請求項６６】  （ｅ）標準的医薬リファレンスソースから一つ以上の治療処方計画のための情報にアクセスするためのコンピュータ読み取り可能なプログラム・コード手段をさらに有することを特徴とする請求項４５に記載のコンピュータ・プログラム製品。
【請求項６７】  既知の慢性疾病または医学的状態を有する患者に対する治療処方計画の選択をガイドするための方法であって、
（ａ）計算装置に既知の前記慢性疾病または医学的状態に対する以前の治療処方計画情報を含む患者情報を与える段階であって、
前記疾病または医学的状態に対する複数の異なった治療処方計画を含む第１の知識ベースと、
前記疾病または医学的状態に対する治療処方計画を評価及び選択するための複数のエキスパート・ルールを含む第２の知識ベースと、
前記異なった治療処方計画の異なった構成によって患者を治療するのに有用なアドバイザリ情報を含む第３の知識ベースと
を備えた計算装置に患者情報を与える段階と、
（ｂ）前記計算装置において前記患者に対する有効な治療処方計画のリストを前記患者情報と前記第１の知識ベースから生成する段階と、
（ｃ）前記計算装置において前記患者情報と前記エキスパート・ルールに基づいて前記リストにおける前記患者に対する一つ以上の治療処方計画に対するアドバイザリ情報を生成する段階と
を有することを特徴とする方法。
【請求項６８】  （ｄ）前記第１の知識ベースには含まれていない前記疾病または医学的状態に対するユーザ定義された治療処方計画を入力する段階と、
（ｅ）前記計算装置において前記ユーザ定義された組合せ治療処方計画（combination therapeutic treatment regimens）に対するアドバイザリ情報を生成する段階と
をさらに有することを特徴とする請求項６７に記載の方法。
【請求項６９】  （ｆ）前記第１の知識ベースに含まれるが前記リストからは推奨されない前記疾病または医学的状態に対する非推奨治療処方計画を入力する段階と、
（ｇ）前記計算装置において前記非推奨治療処方計画に対するアドバイザリ情報であって、その非推奨の理由を少なくとも一つは含むアドバイザリ情報を生成する段階と
をさらに有することを特徴とする請求項６７に記載の方法。
【請求項７０】  前記患者情報は、性別、年齢、体重、ＣＤ４情報、ウィルス負荷情報、ＨＩＶ遺伝子型及び表現型情報、血色素情報、神経疾患情報、好中球情報、膵臓炎、肝臓機能、腎臓機能、薬物アレルギー及び不耐性情報と、
を含むことを特徴とする請求項６７に記載の方法。
【請求項７１】  前記患者に対する有効な治療処方計画の前記リストは、前記患者に対する有効な治療処方計画のランク付けされたリストを含むことを特徴とする請求項６７に記載の方法。
【請求項７２】  前記患者情報は、前記計算装置に記憶された以前の患者情報を含むことを特徴とする請求項６７に記載の方法。
【請求項７３】  前記アドバイザリ情報は、
配合禁忌薬（contraindicated drug）を対応する治療処方計画が開始される前に患者から取り去るための警告と、
対応する治療処方計画を実行するための臨床的に有用な情報と、
を含むことを特徴とする請求項６７に記載の方法。
【請求項７４】  前記計算装置は患者の治療処方計画履歴を含む第４の知識ベースを含むと共に、前記アドバイザリ情報は該第４の知識ベースから抽出された以前の治療処方計画情報を含むことを特徴とする請求項６７に記載の方法。
【請求項７５】  前記既知の疾病または医学的状態はＨＩＶ−１感染であり、前記治療処方計画は抗ウィルス薬を含み、かつ該治療処方計画は配合禁忌されたまたは逆方向に相互作用する可能性のある非抗ウィルス薬を含むことを特徴とする請求項７３に記載の方法。
【請求項７６】  前記治療処方計画はプロテアーゼ抑制薬（protease inhibitor）を含み、そして前記配合禁忌薬はテルフェナジン（terfenadine）であることを特徴とする請求項７３に記載の方法。
【請求項７７】  前記治療処方計画はインジナビル（indinavir）を含み、そして前記配合禁忌薬はシサプリド（cisapride）であることを特徴とする請求項７３に記載の方法。
【請求項７８】  前記既知の疾病または医学的状態は、複数の予防または治療上の処方計画が前記疾病の治療において単独または組合せで使用されるのが有効なものであることを特徴とする請求項６７に記載の方法。
【請求項７９】  前記既知の疾病または医学的状態は心臓血管疾患であることを特徴とする請求項６７に記載の方法。
【請求項８０】  前記既知の疾病または医学的状態は肺疾患であることを特徴とする請求項６７に記載の方法。
【請求項８１】  前記既知の疾病または医学的状態は神経疾患であることを特徴とする請求項６７に記載の方法。
【請求項８２】  前記既知の疾病または医学的状態はガンであることを特徴とする請求項６７に記載の方法。
【請求項８３】  前記既知の疾病または医学的状態は尿路感染であることを特徴とする請求項６７に記載の方法。
【請求項８４】  前記既知の疾病または医学的状態は肝炎感染であることを特徴とする請求項６７に記載の方法。
【請求項８５】  前記既知の疾病または医学的状態はＨＩＶ−１感染であることを特徴とする請求項６７に記載の方法。
【請求項８６】  前記第１の知識ベースは複数の異なった組合せ治療処方計画を含むことを特徴とする請求項６７に記載の方法。
【請求項８７】  もし必要ならば前記患者情報に応じて薬の投薬量情報が推奨及び調整されることを特徴とする請求項６７に記載の方法。
【請求項８８】  （ｄ）前記計算装置を介して医薬リファレンスソースから一つ以上の治療処方計画のための情報にアクセスする段階をさらに有することを特徴とする請求項６７に記載の方法。
【請求項８９】  既知の慢性疾病または医学的状態を有する患者に対する治療処方計画の選択をガイドするためのシステムであって、
（ａ）前記疾病または医学的状態に対する複数の異なった治療処方計画を含む第１の知識ベースと、
前記疾病または医学的状態に対する治療処方計画を選択するための複数のエキスパート・ルールを含む第２の知識ベースと、
前記異なった治療処方計画の異なった構成によって患者を治療するのに有用なアドバイザリ情報を含む第３の知識ベースと
を備える計算装置と、
（ｂ）計算装置に既知の前記慢性疾病または医学的状態に対する事前の治療処方計画情報を含む患者情報を与える手段と、
（ｃ）前記計算装置において前記患者情報と前記第１の知識ベースから既知の前記慢性疾病または医学的状態に対する治療処方計画のリストを生成するための手段と、
（ｄ）前記計算装置において前記患者情報と前記エキスパート・ルールに基づいた前記リストにおける前記患者に対する一つ以上の治療処方計画に対するアドバイザリ情報を生成するための手段と
を備えることを特徴とするシステム。
【請求項９０】  （ｅ）前記第１の知識ベースを通して生成または表示されない前記疾病または医学的状態に対するユーザ定義された治療処方計画を入力するための手段と、
（ｆ）前記計算装置において前記ユーザ定義された組合せ治療処方計画に対するアドバイザリ情報を生成するための手段と
をさらに備えたことを特徴とする請求項８９に記載のシステム。
【請求項９１】  （ｆ）前記第１の知識ベースに含まれるが前記リストからは推奨されない前記疾病または医学的状態に対する非推奨治療処方計画を入力するための手段と、
（ｇ）前記計算装置において前記非推奨治療処方計画に対するアドバイザリ情報であって、その非推奨の理由を少なくとも一つは含むアドバイザリ情報を生成するための手段と
をさらに備えたことを特徴とする請求項８９に記載のシステム。
【請求項９２】  前記患者情報は、性別、年齢、体重、ＣＤ４情報、ウィルス負荷情報、ＨＩＶ遺伝子型及び表現型情報、血色素情報、神経疾患情報、好中球情報、膵臓炎、肝臓機能、腎臓機能、薬物アレルギー及び不耐性情報と、
を含むことを特徴とする請求項８９に記載のシステム。
【請求項９３】  前記患者に対する有効な治療処方計画は、前記患者に対する有効な治療処方計画のランク付けされたリストを含むことを特徴とする請求項８９に記載のシステム。
【請求項９４】  前記患者情報は、前記計算装置に記憶された以前の患者情報を含むことを特徴とする請求項８９に記載のシステム。
【請求項９５】  前記アドバイザリ情報は、
配合禁忌薬を対応する治療処方計画が開始される前に患者から取り去るための警告と、
対応する治療処方計画を実行するための臨床的に有用な情報と、
を含むことを特徴とする請求項８９に記載のシステム。
【請求項９６】  前記計算装置は患者の治療処方計画履歴を含む第４の知識ベースを含むと共に、前記アドバイザリ情報は該第４の知識ベースから抽出された以前の治療処方計画情報を含むことを特徴とする請求項８９に記載のシステム。
【請求項９７】  前記既知の疾病または医学的状態はＨＩＶ−１感染であり、前記治療処方計画は抗ウィルス薬を含み、かつ該治療処方計画は配合禁忌されたまたは逆方向に相互作用する可能性のある非抗ウィルス薬を含むことを特徴とする請求項９５に記載のシステム。
【請求項９８】  前記治療処方計画はプロテアーゼ抑制薬（protease inhibitor）を含み、そして前記配合禁忌薬はテルフェナジン（terfenadine）であることを特徴とする請求項９５に記載のシステム。
【請求項９９】  前記治療処方計画はインジナビル（indinavir）を含み、そして前記配合禁忌薬はシサプリド（cisapride）であることを特徴とする請求項９５に記載のシステム。
【請求項１００】  前記既知の疾病または医学的状態は、複数の予防または治療上の処方計画が前記疾病の治療において単独または組合せで使用されるのが有効なものであることを特徴とする請求項８９に記載のシステム。
【請求項１０１】  前記既知の疾病または医学的状態は心臓血管疾患であることを特徴とする請求項８９に記載のシステム。
【請求項１０２】  前記既知の疾病または医学的状態は肺疾患であることを特徴とする請求項８９に記載のシステム。
【請求項１０３】  前記既知の疾病または医学的状態は神経疾患であることを特徴とする請求項８９に記載のシステム。
【請求項１０４】  前記既知の疾病または医学的状態はガンであることを特徴とする請求項８９に記載のシステム。
【請求項１０５】  前記既知の疾病または医学的状態は尿路感染であることを特徴とする請求項８９に記載のシステム。
【請求項１０６】  前記既知の疾病または医学的状態は肝炎感染であることを特徴とする請求項８９に記載のシステム。
【請求項１０７】  前記既知の疾病または医学的状態はＨＩＶ−１感染であることを特徴とする請求項８９に記載のシステム。
【請求項１０８】  前記第１の知識ベースは複数の異なった組合せ治療処方計画を含むことを特徴とする請求項８９に記載のシステム。
【請求項１０９】  もし必要ならば前記患者情報に応じて薬の投薬量情報が推奨及び調整されることを特徴とする請求項８９に記載のシステム。
【請求項１１０】  （ｅ）前記計算装置を介して医薬リファレンスソースから一つ以上の治療処方計画のための情報にアクセスするための手段をさらに有することを特徴とする請求項８９に記載のシステム。
【請求項１１１】  既知の疾病または医学的状態を有する患者に対する治療処方計画の選択をガイドするためのコンピュータ・プログラム製品であって、コンピュータ使用可能な記憶媒体（computer usable storage medium）を備え、該記憶媒体にはコンピュータ読み取り可能なプログラム・コード手段が具体化されており、そして該コンピュータ読み取り可能なプログラム・コード手段は、
（ａ）前記疾病または医学的状態に対する複数の異なった治療処方計画を含む第１の知識ベースと、
前記疾病または医学的状態に対する治療処方計画を選択するための複数のエキスパート・ルールを含む第２の知識ベースと、
前記異なった治療処方計画の異なった構成によって患者を治療するのに有用なアドバイザリ情報を含む第３の知識ベースと
を備えたコンピュータ読み取り可能なプログラム・コード手段と、
（ｂ）既知の前記慢性疾病または医学的状態に対する以前の治療処方計画情報を含む患者情報を与えるためのコンピュータ読み取り可能なプログラム・コード手段と、
（ｃ）前記患者情報と前記第１の知識ベースから既知の前記慢性疾病または医学的状態に対する前記患者のための有効な治療処方計画のリストを生成するためのコンピュータ読み取り可能なプログラム・コード手段と、
（ｄ）前記患者情報と前記エキスパート・ルールに基づいて前記リストにおける前記患者に対する一つ以上の治療処方計画に対するアドバイザリ情報を生成するためのコンピュータ読み取り可能なプログラム・コード手段と
を備えることを特徴とするコンピュータ・プログラム製品。
【請求項１１２】 （ｅ）前記第１の知識ベースを通して生成または表示されない前記疾病または医学的状態に対するユーザ定義された（user-defined）治療処方計画を入力するためのコンピュータ読み取り可能なプログラム・コード手段と、
（ｆ）前記ユーザ定義された組合せ治療処方計画に対するアドバイザリ情報を生成するためのコンピュータ読み取り可能なプログラム・コード手段と
をさらに備えたことを特徴とする請求項１１１に記載のコンピュータ・プログラム製品。
【請求項１１３】  （ｇ）前記第１の知識ベースに含まれるが前記リストからは推奨されない前記疾病または医学的状態に対する非推奨治療処方計画を入力するためのコンピュータ読み取り可能なプログラム・コード手段と、
（ｈ）前記非推奨治療処方計画に対するアドバイザリ情報であって、その非推奨の理由を少なくとも一つは含むアドバイザリ情報を生成するためのコンピュータ読み取り可能なプログラム・コード手段と
をさらに備えることを特徴とする請求項１１２に記載のコンピュータ・プログラム製品。
【請求項１１４】  前記患者情報は、性別、年齢、体重、ＣＤ４情報、ウィルス負荷情報、ＨＩＶ遺伝子型及び表現型情報、血色素情報、神経疾患情報、好中球情報、膵臓炎、肝臓機能、腎臓機能、薬物アレルギー及び不耐性情報と、を含むことを特徴とする請求項１１１に記載のコンピュータ・プログラム製品。
【請求項１１５】  前記患者情報は、以前の患者情報を含むことを特徴とする請求項１１１に記載のコンピュータ・プログラム製品。
【請求項１１６】  前記アドバイザリ情報は、
配合禁忌薬を対応する治療処方計画が開始される前に患者から取り去るための警告と、
対応する治療処方計画を実行するための臨床的に有用な情報と、
を含むことを特徴とする請求項１１１に記載のコンピュータ・プログラム製品。
【請求項１１７】  前記コンピュータ読み取り可能なプログラム・コード手段は患者の治療処方計画履歴を含む第４の知識ベースを生成するためのコンピュータ読み取り可能なプログラム・コード手段含むと共に、前記アドバイザリ情報は該第４の知識ベースから抽出された以前の治療処方計画情報を含むことを特徴とする請求項１１１に記載のコンピュータ・プログラム製品。
【請求項１１８】  前記既知の疾病または医学的状態はＨＩＶ−１感染であり、前記治療処方計画は抗ウィルス薬を含み、かつ該治療処方計画は配合禁忌されたまたは逆方向に相互作用する可能性のある非抗ウィルス薬を含むことを特徴とする請求項１１６に記載のコンピュータ・プログラム製品。
【請求項１１９】  前記治療処方計画はプロテアーゼ抑制薬（protease inhibitor）を含み、そして前記配合禁忌薬はテルフェナジン（terfenadine）であることを特徴とする請求項１１６に記載のコンピュータ・プログラム製品。
【請求項１２０】  前記治療処方計画はインジナビル（indinavir）を含み、そして前記配合禁忌薬はシサプリド（cisapride）であることを特徴とする請求項１１６に記載のコンピュータ・プログラム製品。
【請求項１２１】  前記既知の疾病または医学的状態は、複数の予防または治療上の処方計画が前記疾病の治療において単独または組合せで使用されるのが有効なものであることを特徴とする請求項１１１に記載のコンピュータ・プログラム製品。
【請求項１２２】  前記既知の疾病または医学的状態は心臓血管疾患であることを特徴とする請求項１１１に記載のコンピュータ・プログラム製品。
【請求項１２３】  前記既知の疾病または医学的状態は肺疾患であることを特徴とする請求項１１１に記載のコンピュータ・プログラム製品。
【請求項１２４】  前記既知の疾病または医学的状態は神経疾患であることを特徴とする請求項１１１に記載のコンピュータ・プログラム製品。
【請求項１２５】  前記既知の疾病または医学的状態はガンであることを特徴とする請求項１１１に記載のコンピュータ・プログラム製品。
【請求項１２６】  前記既知の疾病または医学的状態は尿路感染であることを特徴とする請求項１１１に記載のコンピュータ・プログラム製品。
【請求項１２７】  前記既知の疾病または医学的状態は肝炎感染であることを特徴とする請求項１１１に記載のコンピュータ・プログラム製品。
【請求項１２８】  前記既知の疾病または医学的状態はＨＩＶ−１感染であることを特徴とする請求項１１１に記載のコンピュータ・プログラム製品。
【請求項１２９】  前記第１の知識ベースは複数の異なった組合せ治療処方計画を含むことを特徴とする請求項１１１に記載のコンピュータ・プログラム製品。
【請求項１３０】  もし必要ならば前記患者情報に応じて薬の投薬量情報が推奨及び調整されることを特徴とする請求項１１１に記載のコンピュータ・プログラム製品。
【請求項１３１】  （ｅ）標準的医薬リファレンスソースから一つ以上の治療処方計画のための情報にアクセスするためのコンピュータ読み取り可能なプログラム・コード手段をさらに有することを特徴とする請求項１１１に記載のコンピュータ・プログラム製品。
【請求項１３２】  前記患者に対する有効な治療処方計画の前記リストは、前記患者に対する有効な治療処方計画のランク付けされたリストであることを特徴とする請求項１１１に記載のコンピュータ・プログラム製品。